(57)【要約】【課題】クライアント端末においてウェブページが全範囲のうちどの範囲まで表示されたかを示す精読率を計測することができようにする。【解決手段】クライアント端末３００に、ウェブページを表示するためデータであるソースデータを解析して各表示アイテムの表示位置を算出する精読率算出用プログラムを送信する。クライアント端末３００のウェブブラウザは、精読率算出用プログラムに基づいて、読み込んだ表示アイテムの表示位置情報を、精読率計測装置５００に送信する。精読率計測装置５００は、受信した表示位置情報に基づいて、精読率を定める。【選択図】図１
2010250795.tif 000002
【特許請求の範囲】
【請求項１】
クライアント端末のウェブブラウザで表示されているウェブページが当該ウェブページの全範囲のうちどの範囲まで表示されたかを示す精読率を計測する精読率計測装置であって、
前記ウェブページを表示するためのデータであるソースデータを前記ウェブブラウザが解析して生成したデータを用いて、前記ウェブページの全範囲の高さを示す全範囲データを取得すると共に、前記ウェブページのうち前記ウェブブラウザが表示した領域である表示領域の前記ウェブページ内における高さを示す表示範囲データを取得して、前記全範囲データと前記表示範囲データに基づいて前記精読率を算出する精読率算出用プログラムを前記クライアント端末に送信する送信部と、
前記クライアント端末から、前記精読率を受信する精読率計測部と、
を備える精読率計測装置。
【請求項２】
クライアント端末のウェブブラウザで表示されているウェブページが当該ウェブページの全範囲のうちどの範囲まで表示されたかを示す精読率を計測する精読率計測装置であって、
前記ウェブページを表示するためのデータであるソースデータを前記ウェブブラウザが解析して生成したデータを用いて、前記ウェブページの全範囲の高さを示す全範囲データを取得すると共に、前記ウェブページのうち前記ウェブブラウザが表示した領域である表示領域の前記ウェブページ内における高さを示す表示範囲データを取得する精読率算出用プログラムを前記クライアント端末に送信する送信部と、
前記クライアント端末から、前記全範囲データ及び前記表示範囲データを受信し、前記全範囲データ及び前記表示範囲データに基づいて前記精読率を算出する精読率計測部と、
を備える精読率計測装置。
【請求項３】
請求項１または２に記載の精読率計測装置において、
前記クライアント端末から前記精読率もしくは前記全範囲データ及び前記表示範囲データを受信した時刻、又は前記精読率算出用プログラムが前記表示範囲データを取得した時刻に基づいて、前記ウェブページの特定の領域の閲覧時間を算出する閲覧時間算出部をさらに備える精読率計測装置。
【請求項４】
請求項１〜３のいずれか一つに記載の精読率計測装置において、
前記ウェブページは、前記ウェブページに含まれる表示アイテムとして、リンク先のウェブページが同一である複数のリンク表示を含んでおり、
前記ウェブページにおける前記複数のリンク表示それぞれの表示位置を記憶しているリンク位置記憶部と、
いずれかの前記リンク表示が選択されたときに、前記ウェブブラウザで表示されている前記ウェブページにおける当該リンク表示の位置を示す表示位置情報を前記クライアント端末から受信するリンク選択情報受信部と、
前記リンク選択情報受信部が受信した前記表示位置情報と、前記リンク位置記憶部が記憶している前記表示位置に基づいて、いずれの位置の前記リンク表示が選択されたかを示す選択リンク位置を特定する選択リンク位置特定部と、
をさらに備える精読率計測装置。
【請求項５】
請求項４に記載の精読率計測装置において、
前記ウェブページは、表示されるべきウェブページ、又は少なくとも一つのウェブページを介して前記表示されるべきウェブページにリンクしているウェブページ、のいずれかにリンクしている目標リンク表示を含んでおり、
前記リンク選択情報受信部は、前記クライアント端末を相互に識別する端末識別情報を前記表示位置情報に対応付けて受信し、
前記クライアント端末から、前記リンク表示の選択履歴を特定する情報を前記端末識別情報に対応付けて受信すると共に、前記表示されるべきウェブページが表示されたことを示す情報を、前記端末識別情報に対応付けて受信し、前記リンク表示の選択履歴を用いて前記クライアント端末において選択された前記目標リンク表示を特定する目標リンク選択情報受信部と、
前記目標リンク選択情報受信部が前記目標リンク選択情報を受信したときに、前記リンク選択情報受信部が受信していた前記端末識別情報を記憶する目標達成ユーザ記憶部と、
をさらに備える精読率計測装置。
【請求項６】
請求項１〜５のいずれか一つに記載の精読率計測装置において、
前記クライアント端末において前記ウェブブラウザが操作されたことを示す操作情報を受信する操作情報受信部と、
前記ウェブページが前記ウェブブラウザによって閲覧された時間である閲覧時間を取得する閲覧時間取得部と、
前記操作情報受信部が前記操作情報として、前記ウェブブラウザへの入力に基づいて前記ウェブページの表示を終了したことを示す表示終了情報を受信したときに、前記ウェブページの前記閲覧時間が基準時間以下である場合、又は前記基準時間以降に前記表示終了情報以外の前記操作情報が送られてこなかった場合に、前記ユーザを、前記ウェブページに興味を示さなかったユーザである初期離脱ユーザとしてカウントする初期離脱ユーザ数算出部と、
をさらに備える精読率計測装置。
【請求項７】
請求項１〜６のいずれか一つに記載の精読率計測装置において、
前記精読率を所定の単位で複数の範囲に分割し、前記複数の範囲別に、前記精読率計測部が当該範囲に含まれる前記精読率を計測した回数である閲覧数を記憶する閲覧数記憶部をさらに備える精読率計測装置。
【請求項８】
請求項７に記載の精読率計測装置において、
前記範囲の並び順に前記閲覧数を並べ、一つ前の前記範囲と比較して前記閲覧数の減少が基準以上である前記範囲を選択する離脱ポイント検出部をさらに備える精読率計測装置。
【請求項９】
請求項７又は８に記載の精読率計測装置において、
前記ウェブページの末部を示す前記範囲に対応する前記閲覧数である読了数、及び前記ウェブページの冒頭部における前記閲覧数に対する前記読了数の比率である読了率の少なくとも一方を計測する読了情報計測部を備える精読率計測装置。
【請求項１０】
請求項１〜９のいずれか一つに記載の精読率計測装置において、
前記精読率計測部は、前記クライアント端末を相互に識別する端末識別情報を、前記精読率または前記全範囲データ及び前記表示範囲データに対応付けて受信し、
前記精読率を所定の単位で複数の範囲に分割し、前記複数の範囲別に、前記精読率計測部が受信した前記端末識別情報の数を示すユニークユーザ数を記憶する閲覧数記憶部を備える精読率計測装置。
【請求項１１】
請求項１０に記載の精読率計測装置において、
前記範囲の並び順に前記ユニークユーザ数を並べ、一つ前の前記範囲と比較して前記ユニークユーザ数の減少が基準以上である前記範囲を選択する離脱ポイント検出部をさらに備える精読率計測装置。
【請求項１２】
請求項１０又は１１記載の精読率計測装置において、
前記ウェブページの末部を示す前記範囲に対応する前記ユニークユーザ数である読了数、及び前記ウェブページの冒頭部の前記ユニークユーザ数に対する前記読了数の比率である読了率の少なくとも一方を計測する読了情報計測部を備える精読率計測装置。
【請求項１３】
請求項１〜１２のいずれか一つに記載の精読率計測装置において、
前記ソースデータを用いて生成した解析スクリプトを取得するソース取得部と、
前記ウェブページを表示するときに、前記解析スクリプトを用いて前記ウェブページ内に精読率を示す表示を付与するウェブページ表示部と、
を備える精読率計測装置。
【請求項１４】
請求項１〜１３のいずれか一つに記載の精読率計測装置において、
前記精読率計測部は、前記ウェブページを相互に識別するページ識別情報を、前記精読率または前記全範囲データ及び前記表示範囲データに対応付けて受信する精読率計測装置。
【請求項１５】
請求項１〜１４のいずれか一つに記載の精読率計測装置において、
前記ソースデータを記憶するソース記憶部と、
前記ソース記憶部が記憶する前記ソースデータを、当該ソースデータに基づいたウェブページを前記ウェブブラウザに表示させるために前記クライアント端末に送信するソース送信部と、
を備える精読率計測装置。
【請求項１６】
ウェブページを表示するためのデータであるソースデータをウェブサーバから受信し、前記ソースデータを解析して前記ウェブページを表示するウェブブラウザと、
前記ソースデータを前記ウェブブラウザが解析して生成したデータを用いて、前記ウェブページの全範囲の高さを示す全範囲データを取得すると共に、前記ウェブページのうち前記ウェブブラウザが表示した領域である表示領域の前記ウェブページ内における高さを示す表示範囲データを、前記表示領域が表示されたことをトリガーとして取得して、前記全範囲データと前記表示範囲データに基づいて前記精読率を算出する精読率算出用プログラムを精読率測定装置から受信するプログラム受信部と、
前記精読率算出用プログラムが算出した前記精読率を前記精読率計測装置に送信する精読率データ送信部と、
を備えるクライアント端末。
【請求項１７】
ウェブページを表示するためのデータであるソースデータをウェブサーバから受信し、前記ソースデータを解析して前記ウェブページを表示するウェブブラウザと、
前記ソースデータを前記ウェブブラウザが解析して生成したデータを用いて、前記ウェブページの全範囲の高さを示す全範囲データを取得すると共に、前記ウェブページのうち前記ウェブブラウザが表示した領域である表示領域の前記ウェブページ内における高さを示す表示範囲データを、前記表示領域が表示されたことをトリガーとして取得する精読率算出用プログラムを精読率測定装置から受信するプログラム受信部と、
前記全範囲データ及び前記表示範囲データを前記精読率計測装置に送信する精読率データ送信部と、
を備えるクライアント端末。
【請求項１８】
請求項１６または１７に記載のクライアント端末において、
前記精読率算出用プログラムが前記ウェブブラウザから前記表示範囲データを取得した時刻に基づいて、前記ウェブページの特定の領域の閲覧時間を算出する閲覧時間算出部と、
前記閲覧時間算出部が算出した閲覧時間を精読率計測装置に送信する閲覧時間送信部と、
をさらに備えるクライアント端末。
【請求項１９】
請求項１８に記載のクライアント端末において、
前記閲覧時間算出部は、
前記クライアント端末の前記ウェブブラウザでイベント処理が行われるたびに、当該イベント処理が行われたことを示す操作情報を取得し、
最後に前記操作情報を取得してから所定時間経過したときに、前記最後の操作情報を取得してから次の前記操作情報を取得するまでの時間を、前記閲覧時間に積算しないクライアント端末。
【請求項２０】
ウェブページを表示するクライアント端末と、
前記クライアント端末のウェブブラウザで表示されているウェブページが当該ウェブページの全範囲のうちどの範囲まで表示されたかを示す精読率を計測する精読率計測装置と、
を備える精読率計測システムであって、
前記クライアント端末は、
前記ウェブページを表示するためのデータであるソースデータをウェブサーバから受信するソース受信部と、
前記ソースデータを記憶するソース記憶部と、
前記ソースデータを解析して前記ウェブページを表示する前記ウェブブラウザと、
前記ソースデータを前記ウェブブラウザが解析して生成したデータを用いて、前記ウェブページの全範囲の高さを示す全範囲データを取得すると共に、前記ウェブページのうち前記ウェブブラウザが表示した領域である表示領域の前記ウェブページ内における高さを示す表示範囲データを取得して、前記全範囲データと前記表示範囲データに基づいて前記精読率を算出する精読率算出用プログラムを前記精読率測定装置から受信するプログラム受信部と、
前記精読率算出用プログラムが算出した前記精読率を前記精読率計測装置に送信する精読率データ送信部と、
を備え
前記精読率計測装置は、
前記クライアント端末に、前記精読率算出用プログラムを送信する送信部と、
前記クライアント端末から前記精読率を受信する精読率計測部と、
を備える精読率計測システム。
【請求項２１】
ウェブページを表示するクライアント端末と、
前記クライアント端末のウェブブラウザで表示されているウェブページが当該ウェブページの全範囲のうちどの範囲まで表示されたかを示す精読率を計測する精読率計測装置と、
を備える精読率計測システムであって、
前記クライアント端末は、
前記ウェブページを表示するためのデータであるソースデータをウェブサーバから受信するソース受信部と、
前記ソースデータを記憶するソース記憶部と、
前記ソースデータを解析して前記ウェブページを表示する前記ウェブブラウザと、
前記ソースデータを前記ウェブブラウザが解析して生成したデータを用いて、前記ウェブページの全範囲の高さを示す全範囲データを取得すると共に、前記ウェブページのうち前記ウェブブラウザが表示した領域である表示領域の前記ウェブページ内における高さを示す表示範囲データを取得する精読率算出用プログラムを前記精読率測定装置から受信するプログラム受信部と、
前記精読率算出用プログラムが取得した前記表示範囲データ及び前記全範囲データを前記精読率計測装置に送信する精読率データ送信部と、
を備え
前記精読率計測装置は、
前記クライアント端末に、前記精読率算出用プログラムを送信する送信部と、
前記クライアント端末から前記表示範囲データ及び前記全範囲データを受信して前記精読率を算出する精読率計測部と、
を備える精読率計測システム。
【請求項２２】
クライアント端末においてウェブページが全範囲のうちどの範囲まで表示されたかを示す精読率を計測する精読率計測方法であって、
コンピュータが、前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを取得して、前記全範囲データと前記表示範囲データに基づいて前記精読率を算出する精読率算出用プログラムを前記クライアント端末に送信し、
前記コンピュータが、前記クライアント端末から前記精読率を受信する精読率計測方法。
【請求項２３】
クライアント端末においてウェブページが全範囲のうちどの範囲まで表示されたかを示す精読率を計測する精読率計測方法であって、
コンピュータが、前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを取得する精読率算出用プログラムを前記クライアント端末に送信し、
前記コンピュータが、前記クライアント端末から前記全範囲データ及び前記表示範囲データを取得して前記精読率を算出する精読率計測方法。
【請求項２４】
コンピュータを、クライアント端末のウェブブラウザで表示されているウェブページが当該ウェブページの全範囲のうちどの範囲まで表示されたかを示す精読率を計測する精読率計測装置として機能させるためのプログラムであって、
前記コンピュータに、
前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを取得して、前記全範囲データと前記表示範囲データに基づいて前記精読率を算出する精読率算出用プログラムを前記クライアント端末に送信する機能と、
前記クライアント端末から、前記精読率を受信する機能と、
を実現させるプログラム。
【請求項２５】
コンピュータを、クライアント端末のウェブブラウザで表示されているウェブページが当該ウェブページの全範囲のうちどの範囲まで表示されたかを示す精読率を計測する精読率計測装置として機能させるためのプログラムであって、
前記コンピュータに、
前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを取得する精読率算出用プログラムを前記クライアント端末に送信する機能と、
前記クライアント端末から前記全範囲データ及び前記表示範囲データを取得して前記精読率を算出する機能と、
を実現させるプログラム。
【請求項２６】
クライアント端末のウェブブラウザで表示されているウェブページが当該ウェブページの全範囲のうちどの範囲まで表示されたかを示す精読率を計測するためのプログラムであって、
コンピュータに、
前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを、前記表示領域が表示されたことをトリガーとして取得する機能と、
前記全範囲データと前記表示範囲データに基づいて前記精読率を算出する機能と、
を実現させるプログラム。
【請求項２７】
クライアント端末のウェブブラウザで表示されているウェブページが当該ウェブページの全範囲のうちどの範囲まで表示されたかを示す精読率を計測するためのプログラムであって、
コンピュータに、
前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを、前記表示領域が表示されたことをトリガーとして取得する機能と、
前記全範囲データと前記表示範囲データを、前記全範囲データと前記表示範囲データを用いて精読率を算出する精読率計測装置に送信する機能と、
を実現させるプログラム。
【発明の詳細な説明】
【技術分野】
【０００１】
本発明は、精読率計測装置、クライアント端末、精読率計測システム、精読率計測方法、及びプログラムに関する。
【背景技術】
【０００２】
近年、インターネット上のウェブページを介して情報を発信することが増えている。例えば特許文献１には、ウェブページを介して商品の販売を行う、いわゆるインターネットショッピングのためのシステムが開示されている。
【特許文献１】特開２００８−１１２３８１号公報
【発明の開示】
【発明が解決しようとする課題】
【０００３】
一つのウェブページが長い場合、クライアント端末で一つのウェブページを一回で表示しきれない。このような場合、クライアント端末のユーザは、ウェブページの全体を見るためには画面をスクロールする必要がある。しかしユーザによっては、ウェブページの全体を見ないで、途中でウェブページを閉じることがある。このため、ウェブページのうちどの部分でユーザが見るのを止めたか、すなわちクライアント端末においてウェブページがどの範囲まで表示されたかを把握できるようにするのが好ましい。
【０００４】
本発明は上記事情に鑑みてなされたものであり、その目的とするところは、クライアント端末においてウェブページが全範囲のうちどの範囲まで表示されたかを示す精読率を計測することができる精読率計測装置、クライアント端末、精読率計測システム、精読率計測方法、及びプログラムを提供することにある。
【課題を解決するための手段】
【０００５】
本発明によれば、クライアント端末のウェブブラウザで表示されているウェブページが当該ウェブページの全範囲のうちどの範囲まで表示されたかを示す精読率を計測する精読率計測装置であって、
前記ウェブページを表示するためのデータであるソースデータを前記ウェブブラウザが解析して生成したデータを用いて、前記ウェブページの全範囲の高さを示す全範囲データを取得すると共に、前記ウェブページのうち前記ウェブブラウザが表示した領域である表示領域の前記ウェブページ内における高さを示す表示範囲データを取得して、前記全範囲データと前記表示範囲データに基づいて前記精読率を算出する精読率算出用プログラムを前記クライアント端末に送信する送信部と、
前記クライアント端末から、前記精読率を受信する精読率計測部と、
を備える精読率計測装置が提供される。
【０００６】
本発明によれば、クライアント端末のウェブブラウザで表示されているウェブページが当該ウェブページの全範囲のうちどの範囲まで表示されたかを示す精読率を計測する精読率計測装置であって、
前記ウェブページを表示するためのデータであるソースデータを前記ウェブブラウザが解析して生成したデータを用いて、前記ウェブページの全範囲の高さを示す全範囲データを取得すると共に、前記ウェブページのうち前記ウェブブラウザが表示した領域である表示領域の前記ウェブページ内における高さを示す表示範囲データを取得する精読率算出用プログラムを前記クライアント端末に送信する送信部と、
前記クライアント端末から、前記全範囲データ及び前記表示範囲データを受信し、前記全範囲データ及び前記表示範囲データに基づいて前記精読率を算出する精読率計測部と、
を備える精読率計測装置が提供される。
【０００７】
本発明によれば、ウェブページを表示するためのデータであるソースデータをウェブサーバから受信し、前記ソースデータを解析して前記ウェブページを表示するウェブブラウザと、
前記ソースデータを前記ウェブブラウザが解析して生成したデータを用いて、前記ウェブページの全範囲の高さを示す全範囲データを取得すると共に、前記ウェブページのうち前記ウェブブラウザが表示した領域である表示領域の前記ウェブページ内における高さを示す表示範囲データを、前記表示領域が表示されたことをトリガーとして取得して、前記全範囲データと前記表示範囲データに基づいて前記精読率を算出する精読率算出用プログラムを精読率測定装置から受信するプログラム受信部と、
前記精読率算出用プログラムが算出した前記精読率を前記精読率計測装置に送信する精読率データ送信部と、
を備えるクライアント端末が提供される。
【０００８】
本発明によれば、ウェブページを表示するためのデータであるソースデータをウェブサーバから受信し、前記ソースデータを解析して前記ウェブページを表示するウェブブラウザと、
前記ソースデータを前記ウェブブラウザが解析して生成したデータを用いて、前記ウェブページの全範囲の高さを示す全範囲データを取得すると共に、前記ウェブページのうち前記ウェブブラウザが表示した領域である表示領域の前記ウェブページ内における高さを示す表示範囲データを、前記表示領域が表示されたことをトリガーとして取得する精読率算出用プログラムを精読率測定装置から受信するプログラム受信部と、
前記全範囲データ及び前記表示範囲データを前記精読率計測装置に送信する精読率データ送信部と、
を備えるクライアント端末が提供される。
【０００９】
本発明によれば、ウェブページを表示するクライアント端末と、
前記クライアント端末のウェブブラウザで表示されているウェブページが当該ウェブページの全範囲のうちどの範囲まで表示されたかを示す精読率を計測する精読率計測装置と、
を備える精読率計測システムであって、
前記クライアント端末は、
前記ウェブページを表示するためのデータであるソースデータをウェブサーバから受信するソース受信部と、
前記ソースデータを記憶するソース記憶部と、
前記ソースデータを解析して前記ウェブページを表示する前記ウェブブラウザと、
前記ソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを取得して、前記全範囲データと前記表示範囲データに基づいて前記精読率を算出する精読率算出用プログラムを前記精読率測定装置から受信するプログラム受信部と、
前記精読率算出用プログラムが算出した前記精読率を前記精読率計測装置に送信する精読率データ送信部と、
を備え
前記精読率計測装置は、
前記クライアント端末に、前記精読率算出用プログラムを送信する送信部と、
前記クライアント端末から前記精読率を受信する精読率計測部と、
を備える精読率計測システムが提供される。
【００１０】
本発明によれば、ウェブページを表示するクライアント端末と、
前記クライアント端末のウェブブラウザで表示されているウェブページが当該ウェブページの全範囲のうちどの範囲まで表示されたかを示す精読率を計測する精読率計測装置と、
を備える精読率計測システムであって、
前記クライアント端末は、
前記ウェブページを表示するためのデータであるソースデータをウェブサーバから受信するソース受信部と、
前記ソースデータを記憶するソース記憶部と、
前記ソースデータを解析して前記ウェブページを表示する前記ウェブブラウザと、
前記ソースデータを前記ウェブブラウザが解析して生成したデータを用いて、前記ウェブページの全範囲の高さを示す全範囲データを取得すると共に、前記ウェブページのうち前記ウェブブラウザが表示した領域である表示領域の前記ウェブページ内における高さを示す表示範囲データを取得する精読率算出用プログラムを前記精読率測定装置から受信するプログラム受信部と、
前記精読率算出用プログラムが取得した前記表示範囲データ及び前記全範囲データを前記精読率計測装置に送信する精読率データ送信部と、
を備え
前記精読率計測装置は、
前記クライアント端末に、前記精読率算出用プログラムを送信する送信部と、
前記クライアント端末から前記表示範囲データ及び前記全範囲データを受信して前記精読率を算出する精読率計測部と、
を備える精読率計測システムが提供される。
【００１１】
本発明によれば、クライアント端末においてウェブページが全範囲のうちどの範囲まで表示されたかを示す精読率を計測する精読率計測方法であって、
コンピュータが、前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを取得して、前記全範囲データと前記表示範囲データに基づいて前記精読率を算出する精読率算出用プログラムを前記クライアント端末に送信し、
前記コンピュータが、前記クライアント端末から前記精読率を受信する精読率計測方法が提供される。
【００１２】
本発明によれば、クライアント端末においてウェブページが全範囲のうちどの範囲まで表示されたかを示す精読率を計測する精読率計測方法であって、
コンピュータが、前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを取得する精読率算出用プログラムを前記クライアント端末に送信し、
前記コンピュータが、前記クライアント端末から前記全範囲データ及び前記表示範囲データを取得して前記精読率を算出する精読率計測方法が提供される。
【００１３】
本発明によれば、コンピュータを、クライアント端末のウェブブラウザで表示されているウェブページが当該ウェブページの全範囲のうちどの範囲まで表示されたかを示す精読率を計測する精読率計測装置として機能させるためのプログラムであって、
前記コンピュータに、
前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを取得して、前記全範囲データと前記表示範囲データに基づいて前記精読率を算出する精読率算出用プログラムを前記クライアント端末に送信する機能と、
前記クライアント端末から、前記精読率を受信する機能と、
を実現させるプログラムが提供される。
【００１４】
本発明によれば、コンピュータを、クライアント端末のウェブブラウザで表示されているウェブページが当該ウェブページの全範囲のうちどの範囲まで表示されたかを示す精読率を計測する精読率計測装置として機能させるためのプログラムであって、
前記コンピュータに、
前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを取得する精読率算出用プログラムを前記クライアント端末に送信する機能と、
前記クライアント端末から前記全範囲データ及び前記表示範囲データを取得して前記精読率を算出する機能と、
を実現させるプログラムが提供される。
【００１５】
本発明によれば、クライアント端末のウェブブラウザで表示されているウェブページが当該ウェブページの全範囲のうちどの範囲まで表示されたかを示す精読率を計測するためのプログラムであって、
コンピュータに、
前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを、前記表示領域が表示されたことをトリガーとして取得する機能と、
前記全範囲データと前記表示範囲データに基づいて前記精読率を算出する機能と、
を実現させるプログラムが提供される。
【００１６】
本発明によれば、クライアント端末のウェブブラウザで表示されているウェブページが当該ウェブページの全範囲のうちどの範囲まで表示されたかを示す精読率を計測するためのプログラムであって、
コンピュータに、
前記ウェブページを表示するためデータであるソースデータを前記ウェブブラウザが解析して生成したデータを用いて、前記ウェブページの全範囲の高さを示す全範囲データを取得すると共に、前記ウェブブラウザが前記ウェブページの何れの部分を表示しているかを示す表示範囲データを、前記表示領域が表示されたことをトリガーとして取得する機能と、
前記全範囲データと前記表示範囲データを、前記全範囲データと前記表示範囲データを用いて精読率を算出する精読率計測装置に送信する機能と、
を実現させるプログラムが提供される。
【発明の効果】
【００１７】
本発明によれば、クライアント端末のウェブブラウザで表示されているウェブページが当該ウェブページの全範囲のうちどの範囲まで表示されたかを示す精読率を計測することができる。
【図面の簡単な説明】
【００１８】
【図１】第１の実施形態における精読率計測システムの構成を示すブロック図である。
【図２】図１に示したクライアント端末の構成を示すブロック図である。
【図３】図１に示した精読率計測装置の構成を示すブロック図である。
【図４】精読率計測装置の他の機能構成を示すブロック図である。
【図５】クライアント端末のウェブブラウザに読み込まれた精読率算出用プログラムの機能を模式的に説明するための図である。
【図６】クライアント端末のウェブブラウザに読み込まれた精読率算出用プログラムの機能を模式的に説明するための図である。
【図７】精読率計測装置の閲覧数記憶部が記憶しているデータの一部をテーブル形式で示す図である。
【図８】精読率計測装置の閲覧数記憶部が記憶しているデータの他の一部をテーブル形式で示す図である。
【図９】ページ履歴記憶部が記憶しているデータをテーブル形式で示す図である。
【図１０】精読率計測装置のグラフ生成部が生成したグラフの一例を示している。
【図１１】図１に示した精読率計測システムの動作を示すフローチャートである。
【図１２】図１１における閲覧数記憶部の更新処理（ステップＳ１６０）の詳細を示すフローチャートである。
【図１３】離脱ポイント検出部が行う処理を示すフローチャートである。
【図１４】精読率計測装置のウェブページ表示部が行う処理を示すフローチャートである。
【図１５】第２の実施形態に係る精読率計測システムの構成を示す図である。
【図１６】第２の実施形態における精読率計測装置の構成を示すブロック図である。
【図１７】第３の実施形態に係る精読率測定システムの動作を示すフローチャートである。
【図１８】第３の実施形態における閲覧数記憶部が記憶しているデータをテーブル形式で示すデータである。
【図１９】閲覧時間算出部の機能構成を示すブロック図である。
【図２０】閲覧数記憶部が記憶している他のデータをテーブル形式で示す図である。
【図２１】第４の実施形態に係る精読率計測装置の機能構成を示すブロック図である。
【図２２】ウェブページにおけるリンク表示の配置を模式的に示す図である。
【図２３】第５の実施形態に係る精読率計測装置の機能構成を示すブロック図である。
【図２４】第６の実施形態に係る精読率計測装置の機能構成を示すブロック図である。
【発明を実施するための最良の形態】
【００１９】
以下、本発明の実施の形態について、図面を用いて説明する。尚、すべての図面において、同様な構成要素には同様の符号を付し、適宜説明を省略する。
【００２０】
図１は、第１の実施形態における精読率計測システムの構成を示すブロック図である。図２は、図１に示したクライアント端末３００の構成を示すブロック図であり、図３は、図１に示した精読率計測装置５００の構成を示すブロック図である。
【００２１】
この精読率計測システムは、クライアント端末３００及び精読率計測装置５００を備える。クライアント端末３００及び精読率計測装置５００は、インターネット１０を介して互いに接続している。クライアント端末３００は、ウェブサーバ１００が記憶しているウェブページを表示する端末であり、クライアント端末３００のウェブブラウザで表示されているウェブページが当該ウェブページの全範囲のうちどの範囲まで表示されたかを示す精読率を計測する装置である。本システムにおいて、ウェブページの内容を示し、かつクライアント端末３００でウェブページを表示するためのデータであるソースデータ（例えばｈｔｍｌデータ）は、複数の表示アイテムを含んでいる。
【００２２】
クライアント端末３００は、図２に示すように、プログラム受信部３２０、ウェブブラウザ３６０、精読率データ送信部３８０、及び表示部３９０を備える。プログラム受信部３２０は、図１に示した精読率計測装置５００から、精読率算出用プログラム３４０を受信する。精読率算出用プログラム３４０は、ウェブブラウザ３６０から、ウェブページの全範囲の高さを示す全範囲データを取得すると共に、ウェブページのうちウェブブラウザ３６０が表示した領域である表示領域のウェブページ内における高さを示す表示範囲データを取得する。表示範囲データの取得は、例えば表示領域がウェブブラウザ３６０によって表示されたことをトリガーとして行われる。
【００２３】
ウェブブラウザ３６０は、ウェブサーバ１００からウェブページのソースデータを受信してウェブページを表示部３９０で表示する。このソースデータには、精読率算出用プログラム３４０を読み込むためのタグが組み込まれている。そしてウェブブラウザ３６０は、このタグを読み込むことにより、精読率算出用プログラム３４０をウェブサーバ１００から読み込む。なお、ウェブブラウザ３６０は、ソースデータに含まれるタグを読み込むたびに、プログラム受信部３２０を介して精読率計測装置５００から精読率算出用プログラム３４０を読み込んでも良い。
【００２４】
またウェブブラウザ３６０は、ソースデータ、例えばｈｔｍｌデータを解析して、ｈｔｍｌデータが示す各表示アイテム別に、その表示アイテムを表示するときに高さ方向に何ピクセル必要であるかを算出する。そしてウェブブラウザ３６０は、これらをそのｈｔｍｌデータ単位で積算することにより、ウェブページの高さを示す全範囲データを算出する。全範囲データは、ピクセルという単位の数値として算出される。これらのデータは、例えばＤＯＭデータの一部としてウェブブラウザ３６０により管理される。
【００２５】
またウェブブラウザ３６０は、表示部３９０でウェブページのどの部分を表示しているかを、全範囲データにおける何ピクセルから何ピクセルまでというデータでＤＯＭデータの一部として管理している。精読率算出用プログラム３４０は、表示領域が表示されたことをトリガーとして、このデータを表示範囲データとしてウェブブラウザ３６０から取得する。
【００２６】
そして精読率算出用プログラム３４０は、表示部３９０によって所定の領域が表示されたときに、表示範囲データから、表示部３９０で表示されている領域の下限を示すピクセル値を取得し、このピクセル値を、全範囲データが示すピクセル値で割ることにより、精読率を算出する。
【００２７】
精読率は、例えばウェブページの全体を１００％としたときに、予め定められた％刻み（例えば５％刻み）で切り捨てにされる。精読率データ送信部３８０は、精読率算出用プログラム３４０が算出した精読率を、精読率計測装置５００に送信する。なお、ソースデータに含まれるタグにタグ識別情報が付与されている場合は、このタグ識別情報を、端末識別情報として送信しても良い。
【００２８】
なお、精読率算出用プログラム３４０は、精読率を算出せずに、表示範囲データ及び全範囲データを、精読率データ送信部３８０を介して精読率計測装置５００に送信しても良い。
【００２９】
精読率計測装置５００は、図３に示すように、精読率計測部５２０を備える。精読率計測部５２０は、クライアント端末３００から精読率を受信する。なお、精読率計測部５２０は、クライアント端末３００から精読率の代わりに表示範囲データ及び全範囲データを受信したとき、受信した表示範囲データ及び全範囲データを用いて精読率を算出する。ここで行われる精読率算出方法は、上記した精読率算出用プログラム３４０における精読率算出方法と同様である。
【００３０】
精読率計測装置５００は、さらに閲覧時間算出部６００を備える。閲覧時間算出部６００は、精読率もしくは全範囲データ及び表示範囲データをクライアント端末３００から受信した時刻、又は精読率算出用プログラム３４０が表示範囲データを取得した時刻に基づいて、ウェブページの特定の領域の閲覧時間を算出する。算出された閲覧時間は、ウェブページを相互に識別するページ識別情報ごとに、クライアント端末３００を識別する端末識別情報に対応付けて、後述する閲覧数記憶部５３０に記憶される。
【００３１】
またクライアント端末３００の精読率算出用プログラム３４０は、ユーザがキーボードやマウス等を介してクライアント端末３００に対して何らかの入力を行い、ウェブブラウザ３６０でイベント処理が行われるたびに、ウェブブラウザ３６０でイベント処理があったことを示す操作情報をページ識別情報に対応付けて精読率計測装置５００に送信する。精読率計測装置５００の閲覧時間算出部６００は、精読率計測部５２０を介してクライアント端末３００から、精読率、または全範囲データ及び表示範囲データを受信するとともに、ページ識別情報及び操作情報を受信する。そして閲覧時間算出部６００は、最後に操作情報を受信してから所定時間経過したときに、ユーザがクライアント端末３００のウェブブラウザを見ていないと判断する。そして閲覧時間算出部６００は、最後の操作情報を受信してから次の操作情報を受信するまでの時間を、閲覧時間に加算しない。ここでの所定時間は、ウェブページ別に設定される。
【００３２】
具体的には、閲覧時間算出部６００は、図１９に示すように、カウント部６０２、タイムアウト判断部６０４、及び閲覧時間更新部６０６を備える。精読率計測部５２０は、精読率を計測しなおすたびに、精読率をカウント部６０２に出力する。カウント部６０２は、精読率計測部５２０から精読率を受信すると、閲覧時間の計測を開始する。そして精読率計測部５２０を介してクライアント端末３００から操作情報を受信すると、それまでの閲覧時間の計測値をタイムアウト判断部６０４に出力して、計測値を初期化してから閲覧時間を再び計測し始める。タイムアウト判断部６０４は、上記した所定時間を、ページ識別情報に対応付けて記憶しているデータベースから、上記した所定時間を読み出す。タイムアウト判断部６０４は、カウント部６０２から出力された計測値が上記した所定時間を超えている場合、ユーザがクライアント端末３００のウェブブラウザを見ていないと判断し、閲覧時間の更新をせずに処理を終了する。またタイムアウト判断部６０４は、カウント部６０２から出力された計測値が上記した所定時間以内の場合、閲覧時間更新部６０６に、カウント部６０２が受信した精読率に対応付けて閲覧数記憶部５３０が記憶している閲覧時間に、カウント部６０２から出力された計測値を加算させる。この処理は、カウント部６０２が新たな精読率を受信するまで繰り返される。
【００３３】
閲覧時間算出部６００は、さらに、ページ識別情報別に閲覧時間を計測しても良い。この場合、閲覧時間算出部６００が、新たな精読率ではなく新たなページ識別情報を受信するまで、カウント部６０２、タイムアウト判断部６０４、及び閲覧時間更新部６０６は、上記した処理を繰り返す。閲覧時間算出部６００は、ページ識別情報別の閲覧時間の計測と、精読率別の閲覧時間の計測を並行して行っても良い。
【００３４】
また、閲覧時間算出部６００は、クライアント端末３００に実装されても良い。この場合、クライアント端末３００は、閲覧時間算出部６００が算出した閲覧時間を精読率計測装置５００に送信する機能を有する。そして精読率計測装置５００は、例えば精読率計測部５２０が、クライアント端末３００の閲覧時間算出部６００により算出された閲覧時間を受信し、閲覧数記憶部５３０に記憶させても良い。  
【００３５】
精読率計測装置５００は、さらに閲覧数記憶部５３０、グラフ生成部５４０、離脱ポイント検出部５５０、読了情報計測部５６０、目標達成率計測部５６２、目標精読率記憶部５６４、ソース取得部５７０、ウェブページ表示部５８０、及びページ履歴記憶部５９０を備えている。
【００３６】
閲覧数記憶部５３０は、精読率を所定の単位で複数の範囲に分割し、この複数の範囲別に、精読率計測部５２０が当該範囲に含まれる精読率を計測した回数である閲覧数を記憶する。閲覧数記憶部５３０が記憶している情報は、精読率計測部５２０によって更新される。
【００３７】
グラフ生成部５４０は、閲覧数記憶部５３０が記憶しているデータを視覚化したグラフを生成して、図示しない表示装置に表示させる。例えばグラフ生成部５４０は、精読率別の閲覧数を示す棒グラフを生成する。またグラフ生成部５４０は、閲覧数記憶部５３０における閲覧数が期間別（例えば日別又は週別）に記憶されている場合、特定の精読率における閲覧数の変化を示す折れ線グラフを生成する。
【００３８】
離脱ポイント検出部５５０は、精読率の範囲の並び順に閲覧数を並べ、一つ前の範囲と比較して閲覧数の減少が基準以上である範囲を選択する。離脱ポイント検出部５５０が選択した範囲は、ソースデータが示すウェブページにおいて、ウェブページの閲覧を中断した人が多い個所すなわちウェブページの離脱ポイントを示している。閲覧数の減少が基準以上であるか否かは、ウェブページの冒頭に対応する閲覧数（すなわち閲覧数の初期値であり、ウェブページの冒頭が表示された回数）に対する閲覧数の比率（以下、継続閲覧率と記載）を精読率の範囲それぞれで算出し、算出した継続閲覧率が、一つ前の精読率の範囲における継続閲覧率と比較して基準値以上の差を有するか否かによって判断する。
【００３９】
読了情報計測部５６０は、ウェブページが最後まで閲覧された回数を計測する。また読了情報計測部５６０は、ウェブページの冒頭部に対応する閲覧数（すなわち閲覧数の初期値であり、ウェブページの冒頭が表示された回数）に対する、ウェブページが最後まで閲覧された回数の比率を示す読了率を計測する。具体的には、読了情報計測部５６０は、１００％の精読率に対応する閲覧数である読了数を、ウェブページが最後まで閲覧された回数とする。
【００４０】
目標精読率記憶部５６４は、目標として設定された精読率を、ページ識別情報に対応付けて記憶している。目標達成率計測部５６２は、目標精読率記憶部５６４が記憶している精読率を読み出して、読み出した精読率に対応する継続閲覧率（又は後述するユニークユーザ数における継続閲覧率）を閲覧数記憶部５３０から読み出し、図示しない表示装置に表示させる。
【００４１】
ソース取得部５７０は、ウェブサーバ１００からソースデータを受信し、このソースデータを用いて解析スクリプトを生成する。ウェブページ表示部５８０は、ソースデータを解析して生成した解析スクリプトを用いてウェブページを表示し、かつウェブページ内に精読率を示す表示を付与する。ページ履歴記憶部５９０は、ソースデータ、又はウェブページを示す画像データを、そのソースデータを受信した日時に対応付けて記憶している。ページ履歴記憶部５９０が記憶しているソースデータ又は画像データは、精読率を示す表示を含んでいても良い。
【００４２】
クライアント端末３００の精読率データ送信部３８０は、クライアント端末３００を相互に識別する端末識別情報（例えば上記したタグ識別情報）を精読率、又は全範囲データ及び表示範囲データに対応付けて送信することがある。端末識別情報は、例えば精読率データ送信部３８０が予め保持している。
【００４３】
この場合、精読率計測部５２０は、端末識別情報を精読率又は全範囲データ及び表示範囲データに対応付けて受信する。そして閲覧数記憶部５３０は、さらに、精読率別、具体的には精読率を所定の単位で分割した複数の範囲（例えば５％単位）別に、精読率計測部５２０が受信した端末識別情報の数を示すユニークユーザ数を記憶する。同一のクライアント端末３００が複数回同一のウェブページを表示した場合、閲覧数にはウェブページの表示回数がそのまま加算されるが、ユニークユーザ数は１しか加算されない。すなわちユニークユーザ数は、そのウェブページを閲覧した人の数を示している。また閲覧数記憶部５３０は、ページ識別情報別に、精読率計測部５２０が受信した端末識別情報と、その端末識別情報に対応する閲覧時間を精読率別に記憶している。
【００４４】
そして離脱ポイント検出部５５０は、精読率の範囲順にユニークユーザ数を並べ、一つ前の精読率の範囲と比較してユニークユーザ数の減少が基準以上である精読率の範囲を選択する。なお、ユニークユーザ数の減少が基準以上であるか否かを判断する方法は、閲覧数の減少が基準以上であるか否かを判断する方法と同様である。
【００４５】
また読了情報計測部５６０は、ウェブページを最後まで閲覧した人の数（すなわちクライアント端末３００の数）を計測する。具体的には、読了情報計測部５６０は、１００％の精読率に対応するユニークユーザ数を、ウェブページが最後まで閲覧した人の数（読了数）とする。また読了情報計測部５６０は、ウェブページの冒頭部に対応するユニークユーザ数（すなわちユニークユーザ数の初期値であり、ウェブページの冒頭を閲覧した人の数）に対する、１００％の精読率に対応するユニークユーザ数の比率（すなわち上記した継続閲覧率）を読了率として算出する。
【００４６】
クライアント端末３００の精読率データ送信部３８０は、ウェブページを相互に識別するページ識別情報を精読率に対応付けて送信することがある。この場合、精読率計測部５２０は、ウェブページを相互に識別するページ識別情報を、精読率に対応付けて受信する。そして精読率計測装置５００の各機能部は、上記した処理を、ページ識別情報別に行う。
【００４７】
図４は、精読率計測装置５００の他の機能構成を示すブロック図である。精読率計測装置５００は、プログラム記憶部１２０及びプログラム送信部１４０を備える。プログラム記憶部１２０は、精読率算出用プログラムを記憶する。プログラム送信部１４０は、プログラム記憶部１２０が記憶する精読率算出用プログラムをクライアント端末３００に送信する。
【００４８】
なお、図２、図３、及び図４において、本質に関わらない部分の構成については省略してある。図２に示したクライアント端末３００の各構成要素、並びに図３及び図４に示した精読率計測装置５００の各構成要素は、ハードウエア単位の構成ではなく、機能単位のブロックを示している。ウェブサーバ１００、及び精読率計測装置５００それぞれの各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００４９】
図５及び図６は、クライアント端末３００のウェブブラウザ３６０に読み込まれた精読率算出用プログラムの機能を模式的に説明するための図である。本図に示す例において、ソースデータによって生成した解析スクリプト１５０が示すウェブページは長く、ウェブブラウザ３６０では一回で表示しきれない。このような場合、クライアント端末３００のユーザは、画面をスクロールさせながら順次ウェブページを表示させる。
【００５０】
上記したようにウェブブラウザ３６０は、ソースデータ、例えばｈｔｍｌデータを解析し、ｈｔｍｌデータが示す各表示アイテム別に、その表示アイテムを表示するときに高さ方向に何ピクセル必要であるかを算出し、これらをそのｈｔｍｌデータ単位で積算することにより、全範囲データ（図５及び図６におけるＡピクセル）を算出する。
【００５１】
またウェブブラウザ３６０は、表示部３９０でウェブページのどの部分を表示しているかを、全範囲データにおける何ピクセル（図６におけるＣピクセル）から何ピクセルまで（図５及び図６におけるＢピクセル）というデータで管理している。
【００５２】
そして精読率算出用プログラム３４０は、表示範囲データから、表示部３９０で表示されている領域の下限を示すピクセル値（すなわちＢピクセル）を取得し、このピクセル値を、全範囲データが示すピクセル値で割る（すなわちＢ／Ａ）ことにより、精読率を算出する。
【００５３】
図７は、精読率計測装置５００の閲覧数記憶部５３０が記憶しているデータの一部をテーブル形式で示す図である。本図に示す例において閲覧数記憶部５３０は、ウェブページ識別番号ごとに、そのウェブページのＵＲＬ（Uniform Resource Locator）を記憶している。また閲覧数記憶部５３０は、精読率別に、閲覧数、継続閲覧率、ユニークユーザ数、ウェブページの冒頭に対応するユニークユーザ数（すなわちウェブページの冒頭を閲覧した人の数）に対するユニークユーザ数の比率を記憶している。閲覧数記憶部５３０は、上記した情報を、ウェブページ識別番号ごとに記憶している。また閲覧数記憶部５３０は、上記した情報を、期間別（例えば日別又は週別）に記憶していても良い。図７に示す例において閲覧数記憶部５３０は、上記した情報を日別に記憶している。
【００５４】
そして、精読率が１００％に対応する閲覧数及びユニークユーザ数が読了数に対応しており、精読率が１００％に対応する閲覧数に基づく継続閲覧率及びユニークユーザ数に基づく継続閲覧率が読了率に対応している。読了情報計測部５６０は、例えば精読率が１００％に対応して記憶している情報を閲覧数記憶部５３０から読み出すことにより、読了数及び読了率を計測する。
【００５５】
図２０は、閲覧数記憶部５３０が記憶している他のデータをテーブル形式で示す図である。閲覧数記憶部５３０は、ページ識別情報別に、精読率計測部５２０が受信した端末識別情報と、その端末識別情報に対応する閲覧時間を精読率別に記憶している。
【００５６】
図８（ａ）は、精読率計測装置５００の閲覧数記憶部５３０が記憶しているデータの他の一部をテーブル形式で示す図である。本図に示すデータはユニークユーザ数を計測するためのデータであり、ページ識別情報それぞれごとに、クライアント端末３００の端末識別情報、そのクライアント端末３００における最大の精読率、及び最大の精読率が得られた日時（更新日）が互いに対応付けられている。精読率計測部５２０は、本図に示すデータを参照することにより、図７に示したユニークユーザ数に関する各種情報を更新する。
【００５７】
図８（ｂ）は、精読率計測装置５００の閲覧数記憶部５３０が記憶しているデータの他の一部をテーブル形式で示す図である。本図に示すデータは、クライアント端末３００の端末識別情報別に、ウェブブラウザ３６０でリンク表示がクリックされることにより、ウェブブラウザ３６０がどのウェブページを順に表示していったかを示している。本図に示す例では、ページ識別情報とその表示開始時刻が閲覧数記憶部５３０に記憶されているが、ページ識別情報の代わりにウェブページのＵＲＬが記憶されていても良い。
【００５８】
図９は、ページ履歴記憶部５９０が記憶しているデータをテーブル形式で示す図である。本図に示す例においてページ履歴記憶部５９０は、ページ識別情報ごとに、ウェブページを示す画像データを、その画像データの基となったソースデータを受信した日時に対応付けて記憶している。
【００５９】
図１０は、精読率計測装置５００のグラフ生成部５４０が生成したグラフの一例を示している。このグラフは、精読率別の閲覧数の初期値に対する比率（又はユニークユーザ数の初期値に対する比率）を示す棒グラフである。本図において、棒グラフが急激に変化している部分がある。ここは、ウェブページの閲覧を中断した人が多い個所すなわちウェブページの離脱ポイントを示している。従って、図１０に示したグラフを見ることによっても、離脱ポイントを把握することができる。
【００６０】
図１１は、図１に示した精読率計測システムの動作を示すフローチャートである。まずクライアント端末３００のウェブブラウザ３６０は、ウェブサーバ１００にソースデータを要求することを示す要求情報を送信する（ステップＳ２０）。ウェブサーバ１００は、要求情報を受信すると、ソースデータをクライアント端末３００に送信する（ステップＳ４０）。
【００６１】
クライアント端末３００のウェブブラウザ３６０は、ウェブサーバ１００からソースデータを受信すると、精読率算出用プログラムを読み込む。またウェブブラウザ３６０は、ソースデータの構造を解析して、全範囲データ及び表示範囲データの初期値を算出する（ステップＳ６０）。そしてウェブブラウザ３６０は、ウェブページを部分的に表示する（ステップＳ８０）。
【００６２】
そして精読率算出用プログラム３４０は、精読率の初期値を算出し（ステップＳ１００）、算出した精読率をページ識別情報及び端末識別情報に対応付けて、精読率データ送信部３８０を介して精読率計測装置５００に送信する（ステップＳ１２０）。精読率計測装置５００は、ページ識別情報、精読率、及び端末識別情報を受信すると、受信した精読率に基づいて閲覧数記憶部５３０が記憶しているデータを更新する（ステップＳ１６０）。
【００６３】
なお、ステップＳ１２０において精読率算出用プログラム３４０が精読率の代わりに全範囲データ及び表示範囲データを精読率計測装置５００に送信した場合、精読率計測装置５００は、ステップＳ１６０で示した処理を行う前に、精読率を算出する。
【００６４】
クライアント端末３００のユーザが画面をスクロールした場合、ウェブブラウザ３６０における表示範囲データは変化するため（ステップＳ１８０：Ｙｅｓ）、ステップＳ１００に戻る。そしてウェブページの表示を終了するまで（例えば表示領域の最下部に到達する場合と、表示領域の途中まで表示したのちに表示を終了する場合の双方を含む）（ステップＳ２００：Ｎｏ）、ステップＳ１００〜ステップＳ１８０に示した処理を繰り返す。
【００６５】
図１２は、図１１における閲覧数記憶部５３０の更新処理（ステップＳ１６０）の詳細を示すフローチャートである。まず精読率計測部５２０は、クライアント端末３００から受信した情報のうちページ識別情報を認識し、図７にテーブルで示したデータであり、認識したページ識別情報に対応するデータを閲覧数記憶部５３０から読み出す（ステップＳ１６２）。次いで精読率計測部５２０は、受信した精読率に対応する閲覧数を一つ増加させることにより、図７に示したデータにおける閲覧数を更新する（ステップＳ１６４）。
【００６６】
次いで精読率計測部５２０は、クライアント端末３００から受信した情報のうち端末識別情報を認識する（ステップＳ１６６）。精読率計測部５２０は、認識した端末識別情報が、図８に示したデータに含まれていた場合、すなわちクライアント端末３００が新たな端末ではない場合（ステップＳ１６８：Ｎｏ）、認識した端末識別情報に対応する精読率を、図８に示したデータから読み出す（ステップＳ１７０）。今回受信した精読率が読み出した精読率より大きい場合（Ｓ１７２：Ｙｅｓ）、精読率計測部５２０は、図７に示したデータのうち読み出した精読率に対応するユニークユーザ数を一つ減らし（ステップＳ１７４）、かつ図７に示したデータのうち計測した精読率に対応するユニークユーザ数を一つ増加させる（ステップＳ１７６）。また精読率計測部５２０は、図８に示したデータのうち認識した端末識別情報に対応する精読率及び更新日を更新する（ステップＳ１７７）。なお今回計測した精読率が読み出した精読率以下である場合（Ｓ１７２：Ｎｏ）、精読率計測部５２０は閲覧数記憶部５３０の更新処理を終了する。
【００６７】
また精読率計測部５２０は、認識した端末識別情報が図８に示したデータに含まれていない場合（ステップＳ１６８：Ｙｅｓ）、図７に示したデータのうち受信した精読率に対応するユニークユーザ数を一つ増加させる（ステップＳ１７６）。また図８に示したデータに、今回受信した端末識別情報、算出した精読率、及び更新日を追加する（ステップＳ１７７）。
【００６８】
そして精読率計測部５２０は、図７に示したデータのうち閲覧数の比率及びユニークユーザ数の比率を更新する（Ｓ１７８）。
【００６９】
図１３は、離脱ポイント検出部５５０が行う処理を示すフローチャートである。まず離脱ポイント検出部５５０は、閲覧数記憶部５３０から、図７に示したテーブルを読み出す。そして、精読率の範囲それぞれごとに、一つ前の精読率の範囲との間における閲覧数に基づく継続閲覧率の差分を算出する（ステップＳ３００）。そして、算出した差分が基準以上の精読率を離脱ポイントとして選択する（ステップＳ３２０）。なお、本図に示す処理は、例えば精読率計測装置５００のユーザから指令が入力されると行われる。
【００７０】
図１４は、精読率計測装置５００のウェブページ表示部５８０が行う処理を示すフローチャートである。まずウェブページ表示部５８０は、ユーザから指令が入力されると、ウェブサーバ１００に、ソースデータを要求する旨を示す要求情報を送信する。そしてウェブページ表示部５８０は、ウェブサーバ１００からソースデータを受信する（ステップＳ４００）。
【００７１】
次いでウェブページ表示部５８０は、ソースデータが示すウェブページの高さを検出し（ステップＳ４１０）、検出した高さを一定比率で分割することにより、精読率を示す数値の表示位置を算出する（ステップＳ４２０）。ここで行われる処理は、上記したウェブブラウザ３６０における処理と同様であり、ピクセル単位で行われる。そしてウェブページ表示部５８０は、精読率を示す複数の数値がそれぞれの表示位置に表示されている第１の画像データを生成し、かつウェブページの画像データである第２の画像データを生成する（ステップＳ４３０）。例えばウェブページ表示部５８０は、検出した高さを５％刻みで分割し、分割した部分それぞれに精読率を示す数値として５％、１０％、・・・が表示されるように、第１の画像データを生成する。
【００７２】
次いでウェブページ表示部５８０は、第１の画像データ及び第２の画像データを合成し（ステップＳ４４０）、合成後の画像データをウェブページとして表示する（ステップＳ４５０）。そしてウェブページ表示部５８０は、合成後の画像データをウェブページの画像データとして、日時に対応付けてページ履歴記憶部５９０に記憶させる（ステップＳ４６０）。
【００７３】
次に、第１の実施形態の効果について説明する。本実施形態によれば、クライアント端末３００においてウェブページが全範囲のうちどの範囲まで表示されたかを示す精読率を計測することができる。
【００７４】
従って、グラフ生成部５４０が生成したグラフを見ることにより、ウェブページのうち閲覧が終了される確率が高い部分を認識することができる。また、離脱ポイント検出部５５０がウェブページのうち閲覧が終了される確率が高い部分を検出するため、離脱ポイント検出部５５０による検出結果を見ることによっても、ウェブページのうち閲覧が終了される確率が高い部分を認識することができる。
【００７５】
また、閲覧数記憶部５３０が、閲覧数に基づいたデータ、及びユニークユーザ数に基づいたデータの双方を保持しているため、閲覧数及びユニークユーザ数の何れに基づいた分析（例えば読了数及び読了率）も行うことができる。
【００７６】
また、ウェブページ表示部５８０が、ウェブページの各部分に精読率を付与した画像データを表示するため、何れの部分で閲覧が終了される可能性が高いかを、視覚により確認することができる。
【００７７】
また、ウェブページの領域別、さらにはウェブページ別に、閲覧時間を計測している。従って、ウェブページの何れの領域の閲覧時間が長いかを判断することができる。これにより、ウェブページにおける広告情報の配置位置を、広告効果の高い位置に修整することができる。
【００７８】
図１５は、第２の実施形態に係る精読率計測システムの構成を示す図である。本実施形態は、第１の実施形態におけるウェブサーバ１００の機能を、精読率計測装置５００が有している点を除いて、第１の実施形態と同様である。
【００７９】
図１６は、本実施形態における精読率計測装置５００の構成を示すブロック図である。この精読率計測装置５００は、ソース取得部５７０の代わりにソース送信部６２０及びソース記憶部６４０を備えている点を除いて、図３に示した精読率計測装置５００の構成と同様である。ソース記憶部６４０はソースデータを記憶している。ソース送信部６２０は、クライアント端末３００にソース記憶部６４０が記憶しているソースデータを送信する。
【００８０】
本実施形態によっても、第１の実施形態と同様の効果を得ることができる。
【００８１】
図１７は、第３の実施形態に係る精読率測定システムの動作を示すフローチャートである。本図に示す精読率測定システムは、以下の点を除いて、第１の実施形態にかかる精読率測定システムと同様である。
【００８２】
まず、対象となるウェブページがリンクを経由してクライアント端末３００で表示された場合に、クライアント端末３００の精読率データ送信部３８０が、リンク元のウェブページを特定する参照元ページ識別情報を、ページ識別情報、表示位置情報、及び端末識別情報に対応付けて精読率計測装置５００に送信する（ステップＳ１２０）。
【００８３】
そして精読率計測装置５００の精読率計測部５２０、閲覧数記憶部５３０、グラフ生成部５４０、離脱ポイント検出部５５０、読了情報計測部５６０、及び目標達成率計測部５６２は、第１の実施形態において説明した処理を、第１の実施形態と同様に行うとともに、参照元ページ識別情報別でも行う。
【００８４】
図１８は、本実施形態における閲覧数記憶部５３０が記憶しているデータをテーブル形式で示すデータである。本図に示す例において、閲覧数記憶部５３０は、図７に示したデータを、参照元ページ識別情報別に記憶している。
【００８５】
本実施形態によっても、第１の実施形態と同様の効果を得ることができる。また、リンク元のウェブページ別に精読率に基づいた各種情報を分析することができる。
【００８６】
図２１は、第４の実施形態に係る精読率計測装置５００の機能構成を示すブロック図である。本実施形態に係る精読率計測装置５００は、精読率計測部５２０がリンク選択情報受信部として機能する点、並びにリンク位置記憶部７１０及び選択リンク位置特定部７２０を有している点を除いて、第１〜第３の実施形態のいずれかと同様の構成である。図２１は、第１の実施形態と同様の例について図示しているが、図３に示した閲覧時間算出部６００については図示を省略している。
【００８７】
本実施形態において、図２２に示すようにクライアント端末３００のウェブブラウザ３６０に表示されるウェブページには、表示アイテムとして、リンク先のウェブページが同一である複数のリンク表示１５４を含んでいる。そして、図２１に示すリンク位置記憶部７１０は、ページ識別情報別に、そのページ識別情報が示すウェブページにおける複数のリンク表示１５４それぞれの表示位置を記憶している。表示位置は、例えばウェブブラウザ３６０がウェブページを表示した状態において、ウェブページの冒頭部を０％として末部を１００％とした場合に、全体の何％の部分にリンク表示１５４が位置しているかを示している。この算出は、上記したウェブブラウザ３６０の処理によって、ピクセル単位の数値を用いて行われる。
【００８８】
精読率計測部５２０は、リンク表示１５４が選択されたことを示すリンク選択情報をクライアント端末３００から受信し、そのときまでに受信した最新の精読率及びページ識別情報とともに、リンク選択情報を選択リンク位置特定部７２０に出力する。ページ識別情報には、リンク先のＵＲＬが含まれていても良い。
【００８９】
なお精読率計測部５２０は、リンク選択情報とともに、選択されたリンク表示１５４の位置を示す表示位置情報を、クライアント端末３００から受信しても良い。この場合、クライアント端末３００のウェブブラウザ３６０は、複数のリンク表示１５４それぞれの表示位置情報をピクセル単位の数値で特定する。そしてウェブブラウザ３６０は、この特定された表示位置情報と、リンク表示１５４が選択されたときのカーソルの表示位置が示すピクセル単位の数値に基づいて、選択されたリンク表示１５４を特定し、特定したリンク表示１５４の表示位置情報を、リンク選択情報とともにクライアント端末３００に送信する。なおクライアント端末３００は、リンク表示１５４が選択されたときのカーソルの表示位置を、ウェブページ内におけるリンク表示１５４の表示位置として使用し、この表示位置に対応する表示位置情報をクライアント端末３００に送信してもよい。
そして精読率計測部５２０は、リンク選択情報と共に受信した表示位置情報を選択リンク位置特定部７２０に出力する。
【００９０】
選択リンク位置特定部７２０は、精読率計測部５２０から受信したページ識別情報及び表示位置情報、並びにリンク位置記憶部７１０が記憶しているリンク表示１５４の表示位置情報に基づいて、いずれの位置のリンク表示が選択されたかを示す選択リンク位置を特定する。例えば選択リンク位置特定部７２０は、精読率計測部５２０から受信したページ識別情報に対応する複数のリンク表示１５４の表示位置をリンク位置記憶部７１０から読み出し、読み出した複数の表示位置のうち、精読率計測部５２０から受信した表示位置情報に最も近い表示位置を、選択リンク位置と特定する。
【００９１】
そしてリンク位置記憶部７１０は、リンク表示１５４の表示位置別に、選択された回数を記憶している。選択リンク位置特定部７２０は、選択リンク位置に対応している回数を、一つ増加させる。
【００９２】
なお、一つのウェブページに互いに異なる複数のウェブページのリンク表示１５４が表示されていることがある。この場合、精読率計測部５２０は、どのウェブページのリンク表示１５４が選択されたかを示す情報も受信する。これにより、選択リンク位置特定部７２０は、何れのウェブページのリンク表示１５４が選択されたかを特定することができる。
【００９３】
本実施形態によっても、第１〜第３の実施形態と同様の効果を得ることができる。また、一つのウェブページのうち、どの領域に表示されていたリンク表示１５４がユーザに選択されやすいかを判断することができる。これにより、リンク表示１５４を含む広告情報をどの領域に掲載するのが適切であるか、判断することができる。
【００９４】
図２３は、第５の実施形態に係る精読率計測装置５００の構成を示すブロック図である。本実施形態に係る精読率計測装置５００は、精読率計測部５２０が目標リンク選択情報受信部として機能する点、及び目標達成ユーザ記憶部８１０を有している点を除いて、第１〜第４の実施形態のいずれかと同様の構成である。図２３は、第１の実施形態と同様の例について図示しているが、図３に示した閲覧時間算出部６００については図示を省略している。
【００９５】
本実施形態において、クライアント端末３００のウェブブラウザ３６０に表示されるウェブページは、目標リンク表示を含んでいる。目標リンク表示は、表示されるべきウェブページ、又は少なくとも一つのウェブページを介して上記した表示されるべきウェブページにリンクしているウェブページのいずれかにリンクしている。後者の場合は、例えば現在クライアント端末３００のウェブブラウザ３６０に表示されるウェブページが、商品購入ページのウェブページにリンクしている表示を含んでいる場合である。商品購入ページは、ユーザが商品を選択した場合、決済画面にリンクしている。そして決済画面は、商品購入済画面にリンクしている。そして、上記した表示されるべきウェブページは、商品購入済画面である。
【００９６】
精読率計測装置５００の精読率計測部５２０は、クライアント端末３００を相互に識別する端末識別情報に対応付けて、リンク表示の選択履歴を特定する情報を受信する。ここで、選択履歴を特定する情報としては、例えばウェブブラウザ３６０においてリンク表示が選択されたときに、リンク先又はリンク元のウェブページの少なくとも一方を特定する情報（ＵＲＬ又はページ識別情報）である。選択履歴を特定する情報は、リンク表示が選択されるたびに送信されても良いし、複数回リンク表示が選択されてからまとめて送信されても良い。また精読率計測部５２０は、クライアント端末３００から、目標リンク表示が選択されたことを示す情報を受信するとともに、表示されるべきウェブページが表示されたことを示す情報を受信する。目標リンク表示が選択されたことを示す情報は、例えば、表示されるべきウェブページのＵＲＬ又はページ識別情報である。この場合、精読率計測部５２０は、表示されるべきウェブページのＵＲＬ又はページ識別情報を予め記憶している。
【００９７】
目標リンク表示が、少なくとも一つのウェブページを介して上記した表示されるべきウェブページにリンクしているウェブページにリンクしている場合、精読率計測部５２０は、表示されるべきクライアント端末３００から、ウェブブラウザ３６０に表示されたウェブページにおけるリンク表示が選択されるたびに、選択されたリンク表示によって表示されるウェブページのページ識別情報、またはＵＲＬを受信する。そして、このページ識別情報またはＵＲＬに基づいて、表示されるべきウェブページが表示されたか否かを判断する。なお、表示されるべきウェブページは、例えば商品の購入済画面である。
【００９８】
目標達成ユーザ記憶部８１０は、クライアント端末３００が表示されるべきウェブページを表示したと判断できたときに、選択履歴を特定する情報を用いて、クライアント端末３００において選択された目標リンク表示を特定し、その目標リンク表示を含むウェブページのページ識別情報を、端末識別情報とともに記憶する。このとき、表示されるべきウェブページが表示された時間をさらに記憶していても良い。
【００９９】
本実施形態によれば、第１〜第４の実施形態と同様の効果を得ることができる。また、目標達成ユーザ記憶部８１０が記憶している端末識別情報によって、表示されるべきウェブページを表示したユーザの端末識別情報を特定できる。これにより、例えば、図８（ｂ）や図２０に示した閲覧数記憶部５３０が記憶しているデータのうち、目標達成ユーザ記憶部８１０が記憶している端末識別情報及びページ識別情報に対応しているデータと、それ以外のデータとを比較することにより、表示されるべきウェブページを表示したユーザの行動と他のユーザの行動との差を分析することができる。
【０１００】
図２４は、第６の実施形態に係る精読率計測装置５００の構成を示すブロック図である。本実施形態に係る精読率計測装置５００は、精読率計測部５２０が操作情報受信部及び初期離脱ユーザ算出部として機能する点、及び初期離脱ユーザ記憶部８２０を有している点を除いて、第１〜第５の実施形態のいずれかと同様の構成である。図２４は、第１の実施形態と同様の例について図示している。
【０１０１】
初期離脱ユーザ記憶部８２０は、ページ識別情報別に、そのページ識別情報に対応するウェブページに興味を示さなかったユーザの数を示す初期離脱ユーザ数を記憶している。
【０１０２】
精読率計測部５２０は、クライアント端末３００のウェブブラウザ３６０がウェブページを表示したときに、そのウェブページのページ識別情報を受信する。そして精読率計測部５２０は、クライアント端末３００においてウェブブラウザ３６０が操作されたことを示す操作情報を受信する。操作情報には、ウェブブラウザにおいてスクロールを行った旨を示す情報、リンク情報をクリックした旨を示す情報、及びウェブブラウザ３６０がそのウェブページの表示を終了したことを示す表示終了情報などが含まれる。表示終了情報は、例えばウェブブラウザ３６０においてリンク情報がクリックされて次のウェブページが表示されたことによってそのウェブページの表示が終了した場合にクライアント端末３００から送信される。なお、技術的に可能である場合には、ウェブブラウザ３６０を閉じるためのボタンや、ウェブブラウザ３６０が一つ前に表示したウェブページを表示するためのボタンが入力されたときに表示終了情報が送信されても良い。そして精読率計測部５２０は、表示終了情報を受信したときに、閲覧時間算出部６００が算出したウェブページ単位での閲覧時間が基準値以下である場合、又は基準時間以降に表示終了情報以外の操作情報が送られてこなかった場合に、そのユーザを初期離脱ユーザとしてカウントし、初期離脱ユーザ記憶部８２０において、受信していたページ識別情報に対応している初期離脱ユーザ数を一つ増加させる。ウェブページ単位での閲覧時間が基準値以下である場合とは、例えばそのウェブページが表示されてから１０秒以内にそのウェブページの表示が終了した場合であり、その間における操作情報の受信の有無は考慮しない。また基準時間以降に表示終了情報以外の操作情報が送られてこなかった場合とは、例えば１０秒以内にウェブページに対する操作が行われたが、その後しばらく放置され、そのままそのウェブページの表示が終了した場合である。なお精読率計測部５２０は、ウェブページの冒頭が表示されたときに精読率又は表示範囲データを受信してから予め定められた時間を経過した後に表示終了情報を受信したときには、上記した初期離脱ユーザ記憶部８２０の更新処理を行わなくても良い。ここで予め定められた時間が経過したか否かを判断するための時間算出処理は、第１の実施形態において閲覧時間算出部６００が行った処理と同様であるのが好ましい。また閲覧時間算出部６００が算出した閲覧時間を用いて、予め定められた時間が経過したか否かを判断してもよい。
【０１０３】
本実施形態によっても、第１〜第５の実施形態と同様の効果を得ることができる。また、そのウェブページに興味を示さなかったユーザ数を把握することができる。これにより、ウェブページの閲覧数のうち、ウェブページに興味を示さなかったユーザによる閲覧数の割合を算出することができる。なお初期離脱ユーザ数のカウントは、閲覧数単位ではなく、端末識別情報単位で行っても良い。この場合、初期離脱ユーザ記憶部８２０には、端末識別情報が記憶され、その数によって初期離脱ユーザ数が特定される。
【０１０４】
以上、図面を参照して本発明の実施形態について述べたが、これらは本発明の例示であり、上記以外の様々な構成を採用することもできる。
【符号の説明】
【０１０５】
１０ インターネット
１００ ウェブサーバ
１２０ プログラム記憶部
１４０ プログラム送信部
１５０ 解析スクリプト
１５４ リンク表示
３００ クライアント端末
３２０ プログラム受信部
３４０ 精読率算出用プログラム
３６０ ウェブブラウザ
３８０ 精読率データ送信部
３９０ 表示部
５００ 精読率計測装置
５２０ 精読率計測部
５３０ 閲覧数記憶部
５４０ グラフ生成部
５５０ 離脱ポイント検出部
５６０ 読了情報計測部
５６２ 目標達成率計測部
５６４ 目標精読率記憶部
５７０ ソース取得部
５８０ ウェブページ表示部
５９０ ページ履歴記憶部
６００ 閲覧時間算出部
６０２ カウント部
６０４ タイムアウト判断部
６０６ 閲覧時間更新部
６２０ ソース送信部
６４０ ソース記憶部
７１０ リンク位置記憶部
７２０ 選択リンク位置特定部
８１０ 目標達成ユーザ記憶部
８２０ 初期離脱ユーザ記憶部
【図１】
2010250795.tif 000003
【図２】
2010250795.tif 000004
【図３】
2010250795.tif 000005
【図４】
2010250795.tif 000006
【図５】
2010250795.tif 000007
【図６】
2010250795.tif 000008
【図７】
2010250795.tif 000009
【図８】
2010250795.tif 000010
【図９】
2010250795.tif 000011
【図１０】
2010250795.tif 000012
【図１１】
2010250795.tif 000013
【図１２】
2010250795.tif 000014
【図１３】
2010250795.tif 000015
【図１４】
2010250795.tif 000016
【図１５】
2010250795.tif 000017
【図１６】
2010250795.tif 000018
【図１７】
2010250795.tif 000019
【図１８】
2010250795.tif 000020
【図１９】
2010250795.tif 000021
【図２０】
2010250795.tif 000022
【図２１】
2010250795.tif 000023
【図２２】
2010250795.tif 000024
【図２３】
2010250795.tif 000025
【図２４】
2010250795.tif 000026